(57)【要約】  所定の場所において視聴者にとって思い入れの強い曲を再生可能な記録データ再生装置等を提供する。  本願に係る音楽再生装置Ｓは、移動体の位置を検出し、検出される移動体の位置に基づいて第１の記憶部６から再生すべき音楽データを取得するとともに、前記移動体の位置を検出した日付に基づいて第２の記憶部２５ａから情報データを取得し、取得した記録データ及び情報データの中から少なくとも日付のみが一致する記録データ及び情報データを抽出し、取得された記録データを再生する。
2008111189.tif 000002
【特許請求の範囲】
【請求項１】
移動体の位置に基づいて過去に前記位置の近傍で再生した記録データを再生する記録再生装置であって、
前記移動体の位置を検出する位置検出手段と、
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、
前記ユーザの操作により前記記録データを再生する再生要求を受け付ける再生要求受付手段と、
前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得する情報データ取得手段と、
前記取得した記録データ及び情報データの中から少なくとも日付のみが一致する記録データ及び情報データを抽出する情報抽出手段と、
前記取得された記録データを再生する再生手段と、
を具備することを特徴とする記録データ再生装置。
【請求項２】
移動体の位置から所定の距離の範囲を示す閾値を設定する閾値設定手段を更に具備し、
前記情報データ取得手段は、
前記閾値内の前記記録データを取得することを特徴とする請求項１に記載の記録データ再生装置。
【請求項３】
前記情報取得手段によって取得される記録データの数を設定する記録データ数設定手段と、
前記情報取得手段によって取得された記録データが前記設定された数を超えた場合に、その後に新たに取得される記録データに関連づけられている位置情報と、取得済みの記録データに関連づけられているそれぞれの位置情報と、を比較する比較手段と、を更に具備し、
前記情報データ取得手段は、
前記比較された結果、移動体の位置と最も離れている位置情報が取得済みの記憶データに関連付けられている場合には、前記記録データを、取得済みの記録データから削除し、新たな記録データを取得することを特徴とする請求項１、又は２に記載の記録データ再生装置。
【請求項４】
前記情報データ抽出手段によって抽出された記録データ及び情報データを互いに関連づけて表示する表示手段を更に具備し、
前記再生手段は、
前記表示された中からユーザの操作によって選択される記録データを再生することを特徴とする請求項１乃至３のいずれか一項に記載の記録データ再生装置。
【請求項５】
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、を具備し、
前記移動体の位置に基づいて過去に前記位置の近傍で再生した記録データを再生する記録データ再生方法であって、
前記ユーザの操作により前記記録データを再生する再生要求を受け付ける再生要求受付工程と、
移動体の位置を検出する位置検出工程と、
前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得する情報データ取得工程と、
前記取得した記録データ及び情報データの中から少なくとも日付のみが一致する記録データ及び情報データを抽出する情報抽出工程と、
前記取得された記録データを再生する再生工程と、
を具備することを特徴とする記録データ再生方法。
【請求項６】
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、を具備し、
前記移動体の位置に基づいて過去に前記位置の近傍で再生した記録データを再生するコンピュータを、
前記ユーザの操作により前記記録データを再生する再生要求を受け付け、
移動体の位置を検出し、
前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得し、
前記取得した記録データ及び情報データの中から少なくとも日付のみが一致する記録データ及び情報データを抽出し、
前記取得された記録データを再生するように機能させることを特徴とする記録データ再生プログラム。
【請求項７】
請求項６に記載の記録データ再生プログラムがコンピュータ読み取り可能に記録されていることを特徴とする記録媒体。
【発明の詳細な説明】
【技術分野】
【０００１】
本願は、所定の場所において、過去の情報をもとに音楽データなどの記録データを再生する記録データ再生装置等の技術分野に関する。
【背景技術】
【０００２】
人は、それぞれ過去にあった出来事を思い出として記憶に留めている。当該思い出は、その出来事があった場所やその出来事があった時に聴取した音楽などが関連づけられて記憶されている。よって、人は、その思い出の発端となった場所を通ったり、その思い出に関連づけられた音楽を聴いたりすることで、過去の記憶が蘇り、過去の出来事を思い出すものである。【０００３】
過去の出来事を思い出すきっかけづくりとして、所定の場所において、その場所で過去に再生された曲を抽出して再生する音楽再生装置が存在する（例えば、特許文献１参照）。特許文献１に記載の音楽再生装置は、再生すべき音楽データに位置データを対応づけて過去の位置データとして記憶する一方で、現在の位置データを取得して、当該取得した現在の位置データが過去の位置データと一致した場合に、当該過去の位置データに対応付けられた音楽データを自動的に再生したり、その過去の位置データに対応づけられた音楽データの一覧を表示したりするものである。
【特許文献１】特開２００６−２０１４７８号公報
【発明の開示】
【発明が解決しようとする課題】
【０００４】
しかしながら、当該過去の位置データに対応づけられた音楽データは、必ずしも過去の出来事を思い出すきっかけとなる曲（以下、「思い入れの強い曲」と称する場合がある。）と一致するわけではなく、単に、その場所で流れていた曲にすぎない場合もある。【０００５】
また、過去に再生した曲の一覧が表示されることにより、思い入れの強い曲を検索する上では有効なものの、当該曲の情報だけから思い入れの強い曲か否かを判断するのは時間が経つほど困難となるものである。【０００６】
そこで、本発明は上記問題を課題の一例として為されたもので、所定の場所において視聴者にとって思い入れの強い曲を再生可能な記録データ再生装置等を提供することを目的とする。
【課題を解決するための手段】
【０００７】
上記課題を解決するために、請求項１に記載の記録データ再生装置（Ｓ）は、移動体の位置に基づいて過去に前記位置の近傍で再生した記録データを再生する記録再生装置であって、前記移動体の位置を検出する位置検出手段（２）と、再生される記録データに、前記移動体の位置を示す位置情報と前記記録データが再生される日付を示す日付情報とを関連付けて記憶する第１の記憶手段（６）と、ユーザの日々の出来事を示す情報データにその情報データが作成された日付を示す日付情報を関連づけて記憶する第２の記憶手段（２５ａ）と、前記ユーザの操作により前記記録データを再生する再生要求を受け付ける再生要求受付手段（４）と、前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得する情報データ取得手段（１５）と、前記取得した記録データ及び情報データの中から少なくとも日付のみが一致する記録データ及び情報データを抽出する情報抽出手段（１５）と、前記取得された記録データを再生する再生手段（８）と、を具備することを特徴とする。【０００８】
また、請求項５に記載の記録データ再生方法は、再生される記録データに、前記移動体の位置を示す位置情報と前記記録データが再生される日付を示す日付情報とを関連付けて記憶する第１の記憶手段と、ユーザの日々の出来事を示す情報データにその情報データが作成された日付を示す日付情報を関連づけて記憶する第２の記憶手段と、を具備し、前記移動体の位置に基づいて過去に前記位置の近傍で再生した記録データを再生する記録データ再生方法であって、前記ユーザの操作により前記記録データを再生する再生要求を受け付ける再生要求受付工程と、移動体の位置を検出する位置検出工程と、前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得する情報データ取得工程と、前記取得した記録データ及び情報データの中から少なくとも日付のみが一致する記録データ及び情報データを抽出する情報抽出工程と、前記取得された記録データを再生する再生工程と、を具備することを特徴とする。【０００９】
また、請求項６に記載の情報再生プログラムは、再生される記録データに、前記移動体の位置を示す位置情報と前記記録データが再生される日付を示す日付情報とを関連付けて記憶する第１の記憶手段と、ユーザの日々の出来事を示す情報データにその情報データが作成された日付を示す日付情報を関連づけて記憶する第２の記憶手段と、を具備し、前記移動体の位置に基づいて過去に前記位置の近傍で再生した記録データを再生するコンピュータを、前記ユーザの操作により前記記録データを再生する再生要求を受け付け、移動体の位置を検出し、前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得し、前記取得した記録データ及び情報データの中から少なくとも日付のみが一致する記録データ及び情報データを抽出し、前記取得された記録データを再生するように機能させることを特徴とする。【００１０】
また、請求項７に記載の記録媒体は、請求項６に記載の記録データ再生プログラムがコンピュータ読み取り可能に記録されていることを特徴とする。
【図面の簡単な説明】
【００１１】
【図１】本実施形態に係る音楽再生装置のハードウェア構成の一例を示す構成図である。
【図２】再生履歴管理テーブルの一例を示す図である。
【図３】再生履歴管理テーブルの作成例を示すフローチャート図である。
【図４】音楽再生装置における音楽データの再生処理の動作例を示すフローチャート図である。
【図５】音楽再生装置における音楽データの再生処理の他の動作例を示すフローチャート図である。
【図６】音楽データを抽出した際に表示部に表示される一例を示す図である。
【図７】外部端末との通信例を示すフローチャート図である。
【図８】音楽再生装置と外部端末間における情報の取得例を示すフローチャート図である。
【符号の説明】
【００１２】
Ｓ  記録データ再生装置
２  位置検出部
４  操作部
６、２５ａ  記憶部
８  再生処理部
【発明を実施するための最良の形態】
【００１３】
以下、本願の最良の実施形態について添付図面に基づいて説明する。なお、本願の記録データ再生装置は、一例として、自動車などの車両に搭載される音楽再生装置（例えば、ミュージックサーバーなど）に適用したものである。【００１４】
−音楽再生装置の構成等−
まず、図１乃至図３を参照して、本実施形態における音楽再生装置の構成について説明する。図１は本実施形態に係る音楽再生装置のハードウェア構成の一例を示す構成図、図２は再生履歴管理テーブルの一例を示す図、図３は再生履歴管理テーブルの作成例を示すフローチャート図である。【００１５】
図１に示すように、音楽再生装置Ｓは、車両の位置を位置情報として検出する位置検出部２と、ユーザの指示を受け付ける操作部４、音楽データ等を記憶するＨＤＤ（Hard Disk Drive）等の記憶部６、音楽データを再生処理する再生処理部８、所定の情報を表示する表示部１０、通信回線を通じて外部の端末と通信する通信部１２、及び各部を制御するＣＰＵ（Central Processing Unit）等からなる制御部１５を含んで構成されている。【００１６】
位置検出部２は、受信アンテナや、高周波受信処理部とともに、デジタルシグナルプロセッサ又はマイクロプロセッサ、メモリなどを備えた既知の構成からなるＧＰＳ受信部であり、例えば、天空を飛翔する少なくとも三つのＧＰＳ衛生からの電波を受信して車両の測位データを制御部１５に出力する。【００１７】
操作部４は、ユーザからの操作（指示）を受け付け、制御部１５に出力されるようになっている。例えば、操作部４は、所定のキーを備えて構成され、そのキーの操作により記憶部６に記憶されている複数の音楽データから一の音楽データの再生指示を受け付けたり、複数の音楽データを自動的に選択して再生する自動再生指示を受け付けたりする。【００１８】
記憶部６は、予め様々なジャンルを含む音楽データと、過去に再生した音楽データを含む再生履歴管理データと、を含んで構成されており、制御部１５の制御の元で再生処理部８によって、音楽データが抽出されるようになっている。【００１９】
また、再生履歴管理データは、音楽データの再生処理時に、制御部１５によって作成され、図２に示す再生履歴管理テーブル２０として記憶部６に記憶される。再生履歴管理テーブル２０は、図３に示すように、例えば、ユーザの操作によって音楽データが選択されると、制御部１５は、車両の現在の位置を示す位置データを位置検出部２によって検出し取得する（ステップＳ１０１）。次いで、制御部１５は、音楽データが再生処理された現在の日時を示す日時データを取得する（ステップＳ１０２）。最後に、制御部１５は、当該位置データ及び日時データをそれぞれ再生位置データ及び再生日時データとして再生処理される曲識別子として管理される音楽データに関連付けて、図２に示すような再生履歴管理テーブル２０として記憶部６に記憶する（ステップＳ１０３）。【００２０】
再生処理部８は、制御部１５の制御の元で記憶部６に記憶されている音楽データを読み出して、当該音楽データを再生処理し、図示しないスピーカによって音楽データを音声として出力させる。【００２１】
表示部１０は、所定の情報を表示する表示画面を有しており、制御部１５の制御で各種処理データを画面表示する。表示部１０はバスラインを通じて制御部１５から転送される制御データに基づいて表示部１０の各部の制御を行う。また、表示画面は、液晶ディスプレイ（ＬＣＤ）、ＥＬ（Electro-Luminescence）、又はブラウン管（ＣＲＴ）などによって構成され、例えば、車両のフロントパネル近傍に配置される。【００２２】
通信部１２は、制御部１５の制御の下、外部の通信端末２５と所定の情報データのやりとり（送受信）を行う。具体的には、制御部１５により特定された音楽データに対応づけられる再生日時データと一致する情報データを当該外部の通信端末２５の記憶部２５ａから取得する。【００２３】
なお、外部の端末２５は、個人のＰＣなどであっても良いし、ネット上におかれたサーバなどであっても良い。情報データは、各個人が作成し、ＰＣやサーバなどの記憶部２５ａに記憶して管理しているものであり、ユーザの日々の出来事を示すもの、例えば、ブログに記載された日記や画像データなどである。この情報データは、当該情報データが作成された日付とともにＰＣ又はサーバの記憶部２５ａに記憶される。【００２４】
制御部１５は、コンピュータとして、演算機能を有するＣＰＵ（Central Processing Unit）、作業用ＲＡＭ、不揮発性メモリ、及び各種処理プログラムやデータを記憶するＲＯＭ等を備えて構成されている。そして、ＣＰＵが例えばＲＯＭ等に記憶された音楽再生処理プログラムを実行（音楽再生アプリケーションを起動）することにより、コンピュータが音楽再生装置Ｓとして機能するようになっている。この音楽再生処理プログラムは、ユーザからの指示に基づいて音楽再生装置Ｓの制御部１５が行う処理プログラムである。具体的には、制御部１５は、操作部４からの再生指示に従い、車両の現在位置において最適な音楽データを選択して再生処理を行うとともに、音楽再生装置Ｓ全体を統括制御する。【００２５】
なお、本実施形態における音楽データ再生装置は、本願の記録データ再生装置を構成し、本実施形態における位置検出部は、本願の位置検出手段を構成する。また、本実施形態の記憶部６は、本願の第１の記憶手段を構成し、本実施形態の外部端末２５の記憶部２５ａは、本願の第２の記憶手段を構成する。また、本実施形態の制御部１５は、本願の情報データ取得手段及び情報抽出手段を構成し、本実施形態の再生処理部８は、本願の再生手段を構成する。【００２６】
−音楽再生装置の動作−
次に、本実施形態に係る音楽再生装置における再生処理の動作例について制御部を主体として図４を用いて説明する。図４は音楽再生装置における音楽データの再生処理の動作例を示すフローチャート図である。なお、理解し易いように、図１に対応する部分に符号を付することとするがこれにより実施形態が限定されるものではない。【００２７】
―第１実施形態―
はじめに、本実施形態における音楽再生装置Ｓは、利用者が操作部２を使用して自動再生機能の視聴を選択することで、情報再生装置Ｓに対して音楽データの選択要求が行われ、現在位置を検索キーとして選択された音楽データの自動再生処理が開始されるようになっている。【００２８】
まず、自動再生処理において、情報再生装置Ｓの制御部１５は、ユーザからの自動選択要求により、位置検出部２によって車両の現在位置Ｐｏｓを示す現在位置データ取得する（ステップＳ２０１）。【００２９】
次いで、制御部１５は、ユーザの操作によって現在位置から所定の範囲を示す閾値としての検索距離Ｄｔを設定する（ステップＳ２０２）。なお、当該検索距離Ｄｔは、予め規定された値を制御部１５が自動的に設定するようにしても構わない。【００３０】
この検索距離Ｄｔの設定により、抽出される音楽データの数を絞り込むようになっている。これは、現在位置の近傍で過去に聞いた音楽データを選択することによって、過去の思い出を思い出すきっかけとなるであろう思い入れの強い音楽データが含まれると考えられるからである。【００３１】
次いで、制御部１５は、車両の現在位置Ｐｏｓを検索キーとして、記憶部６に記憶されている再生履歴管理テーブル２０で管理されている音楽データを順番に選択し、各音楽データに対応づけられている再生位置データと現在位置データとの距離Ｄを算出する（ステップＳ２０３）。【００３２】
次いで、制御部１５は、当該距離Ｄが、探索距離Ｄｔ以下であるか否かを判断する（ステップＳ２０４）。この判断が肯定されればステップＳ２０５に進み、制御部１５は、再生候補曲の音楽データとして、選択された音楽データを一時的に追加して記憶する。【００３３】
一方、この判断が否定されればステップＳ２０６に進む。【００３４】
次いで、制御部１５は、再生履歴管理テーブル２０内の最後の音楽データか否かを判断する（ステップＳ２０６）。この判断が否定されれば、次の音楽データを選択し、ステップＳ２０３〜ステップＳ２０５の処理を繰り返す。【００３５】
一方、この判断が肯定されれば、ステップＳ２０７に進み、制御部１５は、記憶部６に一時的に記憶された音楽データを順番に抽出し、再生処理部８によって当該各音楽データを再生処理し、処理を終了する。【００３６】
以上に説明したように、上記実施形態の本願の音楽再生装置Ｓは、記憶部６に記憶されている音楽データの中から、当該音楽データに対応づけられている再生位置と車両の現在位置とが近い音楽データを抽出し再生するようになっているので、過去に現在位置で視聴した可能性が高い音楽データが再生されることとなる。よって、例えば、当該音楽データが再生されることによって、ユーザにとって思い入れの深い過去の出来事を連想させることが可能となり、ユーザの音楽を聴取する楽しみを向上させることが可能となる。【００３７】
―第２実施形態―
次に、本実施形態に係る情報再生装置における再生処理の他の動作例について図５を用いて説明する。図５は音楽再生装置における音楽データの再生処理の他の動作例を示すフローチャート図である。なお、理解し易いように、図１に対応する部分に符号を付することとするがこれにより実施形態が限定されるものではない。【００３８】
第１実施形態で説明した情報再生装置Ｓは、音楽データに対応づけられている再生位置データと現在位置データとの関係が所定の検索距離Ｄｔ以下の音楽データの全てが選曲されて再生されるのに対し、本実施形態は、再生位置データと現在位置データとの関係が所定の検索距離Ｄｔ以下であっても、選曲された音楽データが指定された曲以上になった場合には、現在位置データとの距離が遠い順に排除され、所定の曲数の音楽データが選曲されて再生される点で異なる。【００３９】
はじめに、本実施形態における音楽再生装置Ｓは、利用者が操作部２を使用して自動再生機能の聴取を選択することで、情報再生装置Ｓに対して音楽データの選択要求が行われ、現在位置を検索キーとして選択された音楽データの自動再生処理が開始されるようになっている。【００４０】
まず、自動再生処理において、情報再生装置Ｓの制御部１５は、ユーザからの自動選択要求により、位置検出部２によって車両の現在位置Ｐｏｓを示す現在位置データを取得する（ステップＳ３０１）。【００４１】
次いで、制御部１５は、ユーザの操作によって指定された音楽データの曲数（検索すべき曲数Ｎｔ）を設定する（ステップＳ３０２）とともに、再生候補曲の曲数Ｎを初期化する（ステップＳ３０３）。なお、当該検索すべき曲数Ｎｔは予め規定された値を制御部１５が自動的に設定するようにしても構わない。【００４２】
次いで、制御部１５は、車両の現在位置Ｐｏｓを検索キーとして、記憶部６に記憶されている再生履歴管理テーブル２０で管理されている音楽データを順番に選択し、各音楽データに対応づけられている再生位置データと現在位置データとの距離Ｄを算出する。【００４３】
次いで、制御部１５は、再生候補曲の曲数Ｎが検索すべき曲数Ｎｔより少ないか否かを判断し（ステップＳ３０５）、この判断が肯定されれば、ステップＳ３０６に進み、再生候補曲の曲数Ｎに１曲追加した上で、再生候補曲の音楽データとして、選択された音楽データを一時的に記憶部に追加して記憶する（ステップＳ３０７）。【００４４】
一方、制御部１５は、ステップＳ３０５の判断において否定された場合（再生候補曲の曲数Ｎが検索すべき曲数Ｎｔに達した場合）には、選択された音楽データに対応付けられている再生位置データが、再生候補曲に含まれる音楽データに関連づけられた再生位置データのうち最も現在位置データと距離が離れている再生位置データよりも小さいか否かを判断する（ステップＳ３０８）。この判断が肯定されれば、ステップＳ３０９に進み、当該最も現在位置データとの距離が離れている再生位置データに関連づけられている音楽データを再生候補曲から削除し、選択された音楽データを再生候補曲として一時的に記憶部６に追加して記憶する（ステップＳ３０７）。  【００４５】
また、制御部１５は、ステップＳ３０８の判断において否定された場合には、ステップＳ３１０に進む。【００４６】
次いで、制御部１５は、再生履歴管理テーブル２０内の最後の音楽データか否かを判断する（ステップＳ３１０）。この判断が否定されれば、次の音楽データを選択し、ステップＳ３０４〜ステップＳ３０９の処理を繰り返す。【００４７】
一方、この判断が肯定されれば、ステップＳ３１１に進み、制御部１５は、記憶部６に一時的に記憶された音楽データを順番に抽出し、再生処理部８によって当該各音楽データを再生処理し、処理を終了する。【００４８】
以上に説明したように、上記実施形態の音楽再生装置Ｓは、曲数を指定し、当該曲数内で、記憶部６に記憶されている音楽データの中から、当該音楽データに対応づけられている再生位置と車両の現在位置とが近い音楽データを抽出し再生するようになっているので、過去に現在位置で視聴した可能性がより高い音楽データが再生されることとなる。よって、例えば、当該音楽データが再生されることによって、ユーザにとって思い入れの深い過去の出来事を連想させることが可能となり、ユーザの音楽を聴取する楽しみを向上させることが可能となる。【００４９】
―第３実施形態―
次に、本実施形態に係る情報再生装置における再生処理の他の動作例について図６乃至図８を用いて説明する。図６は音楽データを抽出した際に表示部に表示される一例を示す図、図７は外部端末との通信例を示すフローチャート図、図８は音楽再生装置と外部端末間における情報の取得例を示すフローチャート図である。【００５０】
第１及び第２実施形態で説明した情報再生装置Ｓは、抽出した再生候補曲を一覧表示することなく自動再生するのに対して、本実施形態は、図６に示すように、抽出した再生候補曲を一覧表示するとともに、通信部１２を介して外部端末２５から当該再生候補曲の再生日時と一致する日時に作成された情報データを抽出した上で、当該情報データを再生候補曲と関連づけて表示する点で異なる。【００５１】
例えば、再生候補曲と情報データとを一覧表示するにあたっては、第１実施形態のステップＳ２０１〜ステップＳ２０６に示すように、記憶部６に記憶されている音楽データの中から再生候補曲を抽出した後、図７に示すように、制御部１５は、当該再生候補曲に関する関連情報の有無を通信部１２を介して外部端末２５に問い合わせる（ステップＳ４０１）。次に、制御部１５は、関連情報（情報データ）の有無を判断し（ステップＳ４０２）、関連情報があれば、その関連情報を視覚にて容易に判断可能なアイコンに置き換えて、図８に示すように、再生候補曲に関連づけて表示する（ステップＳ４０３）。一方、関連情報がなければ、そのまま処理を終了する。【００５２】
なお、外部端末２５は、音楽再生装置Ｓの通信部１２と通信可能になっているとともに、ユーザによって作成又は撮影された日々の出来事を示す日記や写真を日付とともに記憶する記憶部２５ａを有しており、再生候補曲に含まれる再生日時を検索キーとして、その日時に関する日記や写真を検索可能な検索機能を含んで構成されている。【００５３】
よって、外部端末２５は、ステップＳ４０１において、図８に示すように、情報再生装置Ｓの通信部１２からの関連情報の要求処理に対して、再生候補曲としての音楽データに対応づけられた再生日時を検索キーとして当該再生日時と一致する日時に作成された日記や写真などの関連情報を検索し（ステップＳ５０１）、当該検索結果を通信部に応答する（ステップＳ５０２）ようになっている。【００５４】
なお、本実施形態では、日時を検索キーとして音楽データに関連するであろう関連情報を検索しているが、他の情報を検索キーとして検索しても構わないし、当該他の情報を併用して検索しても構わない。【００５５】
また、音楽再生装置Ｓは、関連情報が検索された音楽データのみを自動再生するようにしても構わないし、表示された音楽データの中からユーザの操作によって選択された音楽データのみを再生するようにしても構わない。【００５６】
また、第３実施形態におけるステップＳ４０１〜ステップＳ４０３の処理は、通常、第１及び第２実施形態のステップＳ２０７又はステップＳ３１１の処理前に行うようになっている。【００５７】
以上に説明したように、上記実施形態の本願の音楽再生装置Ｓは、再生候補曲とともにユーザが作成した関連情報を表示するようになっているので、当該関連情報を閲覧などすることにより思い入れの深い過去の出来事（思い出）に深く関連づけられた音楽データを容易に選曲することが可能となる。よって、例えば、当該選曲された音楽データが再生されることによって、過去の思い出を呼び起こし、ユーザの音楽を聴取する楽しみを向上させることが可能となる。【００５８】
なお、本実施形態は一形態であって、この形態に限定されるものではなく、例えば、本実施形態において、記録データは音楽データである旨が記載されているが、動画データなどであっても構わない。【００５９】
また、本実施形態では、外部端末としてユーザのパソコンやサーバなどとしているが、携帯電話機などであっても構わない。外部端末としては、スケジューラ機能やカメラ機能を有し、通信回線を介してデータのやりとりができればどのようなものであっても構わない。【００６０】
また、上記実施形態で示す関連情報には、ブログや写真のほかに、その日のニュース記事などの情報を含めても構わない。【００６１】
また、音楽データを抽出して自動再生する場合において、抽出された順番に再生するようになっているが、例えば、関連情報の多い順に再生するようにしても構わない。これにより、ユーザにとって思い入れの強い音楽データを優先的に再生することができると考えられる。【００６２】
また、再生候補曲リストの画面を表示した状態で、音楽データを再生するようにしても良い。【００６３】
また、本実施形態の情報再生装置は、車両用のミュージックサーバーに適用したものを例示しているが、車両用のナビゲーションシステム、カーオーディオ、パソコン、携帯（持ち運び）可能な音楽再生装置（例えば、ポタブルオーディオプレイヤー、音楽再生機能付き携帯電話）などに適用することも可能である。【００６４】
また、本実施形態では、車両に音楽装置を備えているため、車両が本願の移動体として機能するが、例えば、携帯可能な音楽装置に本願を適用するならば、音楽装置自体が本願の移動体として機能する。
【図１】
2008111189.tif 000003
【図２】
2008111189.tif 000004
【図３】
2008111189.tif 000005
【図４】
2008111189.tif 000006
【図５】
2008111189.tif 000007
【図６】
2008111189.tif 000008
【図７】
2008111189.tif 000009
【図８】
2008111189.tif 000010
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
移動体の位置に基づいて過去に前記位置の近傍で再生した記録データを再生する記録再生装置であって、
前記移動体の位置を検出する位置検出手段と、
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、
前記ユーザの操作により前記記録データを再生する再生要求を受け付ける再生要求受付手段と、
前記ユーザによる再生要求の後に検出される前記移動体の位置に基づいて前記第１の記憶手段から再生すべき記録データを取得するとともに、前記移動体の位置を検出した日付に基づいて前記第２の記憶手段から情報データを取得する情報取得手段と、
前記取得した記録データ及び情報データの中から少なくとも日付のみが一致する記録データ及び情報データを抽出する情報抽出手段と、
前記取得された記録データを再生する再生手段と、
前記情報取得手段によって取得される記録データの数を設定する記録データ数設定手段と、
前記情報取得手段によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較手段と、を更に具備し、
前記情報取得手段は、
前記比較された結果、移動体の位置と最も離れている位置情報が取得済みの記憶データに関連付けられている場合には、前記記録データを、取得済みの記録データから削除し、新たな記録データを取得することを特徴とする記録データ再生装置。
【請求項２】
移動体の位置から所定の距離の範囲を示す閾値を設定する閾値設定手段を更に具備し、
前記情報データ取得手段は、
前記閾値内の前記記録データを取得することを特徴とする請求項１に記載の記録データ再生装置。
【請求項３】
（削除）
【請求項４】
前記情報データ抽出手段によって抽出された記録データ及び情報データを互いに関連づけて表示する表示手段を更に具備し、
前記再生手段は、
前記表示された中からユーザの操作によって選択される記録データを再生することを特徴とする請求項１、又は２のいずれか一項に記載の記録データ再生装置。
【請求項５】
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、を具備し、
前記移動体の位置に基づいて過去に前記位置の近傍で再生した記録データを再生する記録データ再生方法であって、
前記ユーザの操作により前記記録データを再生する再生要求を受け付ける再生要求受付工程と、
移動体の位置を検出する位置検出工程と、
前記ユーザによる再生要求の後に検出される前記移動体の位置に基づいて前記第１の記憶手段から再生すべき記録データを取得するとともに、前記移動体の位置を検出した日付に基づいて前記第２の記憶手段から情報データを取得する情報取得工程と、
前記取得した記録データ及び情報データの中から少なくとも日付のみが一致する記録データ及び情報データを抽出する情報抽出工程と、
前記取得された記録データを再生する再生工程と、
前記情報取得手段によって取得される記録データの数を設定する記録データ数設定工程と、
前記情報取得手段によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較工程と、を更に具備し、
前記情報取得工程は、
前記比較された結果、移動体の位置と最も離れている位置情報が取得済みの記憶データに関連付けられている場合には、前記記録データを、取得済みの記録データから削除し、新たな記録データを取得することを特徴とする記録データ再生方法。
【請求項６】
コンピュータを、請求項１に記載の記録データ再生装置として機能させることを特徴とする記録データ再生プログラム。
【請求項７】
請求項６に記載の記録データ再生プログラムがコンピュータ読み取り可能に記録されていることを特徴とする記録媒体。
【請求項８】
前記再生手段は、前記関連情報の多い順に前記記録データを再生することを特徴とする請求項４に記載の記録データ再生装置。
【手続補正２】
【補正対象書類名】明細書
【補正対象項目名】０００２
【補正方法】変更
【補正の内容】
【０００２】
する上では有効なものの、当該曲の情報だけから思い入れの強い曲か否かを判断するのは時間が経つほど困難となるものである。
［０００６］
そこで、本発明は上記問題を課題の一例として為されたもので、所定の場所において視聴者にとって思い入れの強い曲を再生可能な記録データ再生装置等を提供することを目的とする。
課題を解決するための手段
［０００７］
上記課題を解決するために、請求項１に記載の記録データ再生装置（Ｓ）は、移動体の位置に基づいて過去に前記位置の近傍で再生した記録データを再生する記録再生装置であって、前記移動体の位置を検出する位置検出手段（２）と、再生される記録データに、前記移動体の位置を示す位置情報と前記記録データが再生される日付を示す日付情報とを関連付けて記憶する第１の記憶手段（６）と、ユーザの日々の出来事を示す情報データにその情報データが作成された日付を示す日付情報を関連づけて記憶する第２の記憶手段（２５ａ）と、前記ユーザの操作により前記記録データを再生する再生要求を受け付ける再生要求受付手段（４）と、前記ユーザによる再生要求の後に検出される前記移動体の位置に基づいて前記第１の記憶手段から再生すべき記録データを取得するとともに、前記移動体の位置を検出した日付に基づいて前記第２の記憶手段から情報データを取得する情報取得手段（１５）と、前記取得した記録データ及び情報データの中から少なくとも日付のみが一致する記録データ及び情報データを抽出する情報抽出手段（１５）と、前記取得された記録データを再生する再生手段（８）と、前記情報取得手段によって取得される記録データの数を設定する記録データ数設定手段と、前記情報取得手段によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較手段と、を更に具備し、前記情報取得手段は、前記比較された結果、移動体の位置と最も離れている位置情報が取得済みの記憶データに関連付けられている場合には、前記記録データを、取得済みの記録データから削除し、新たな記録データを取得することを特徴とする。
［０００８］
また、請求項５に記載の記録データ再生方法は、再生される記録データに、前記移動体の位置を示す位置情報と前記記録データが再生される日付を示す日付情報とを関連付けて記憶する第１の記憶手段と、ユーザの日々の出来事を示す情報データにその情報データが作成された日付を示す日付情報を関連づけて記憶する第２の記憶手段と、を具備し、前記移動体の位置に基づいて過去に前記位置の近傍で再生した記録データを再生する記録データ再生方法であって、前記ユーザの操作により前記記録データを再生する再生要求を受け付ける再生要求受付工程と、移動体の位置を検出する位置検出工程と、前記ユーザによる再生要求の後
【手続補正３】
【補正対象書類名】明細書
【補正対象項目名】０００３
【補正方法】変更
【補正の内容】
【０００３】
に検出される前記移動体の位置に基づいて前記第１の記憶手段から再生すべき記録データを取得するとともに、前記移動体の位置を検出した日付に基づいて前記第２の記憶手段から情報データを取得する情報取得工程と、前記取得した記録データ及び情報データの中から少なくとも日付のみが一致する記録データ及び情報データを抽出する情報抽出工程と、前記取得された記録データを再生する再生工程と、前記情報取得手段によって取得される記録データの数を設定する記録データ数設定工程と、前記情報取得手段によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較工程と、を更に具備し、前記情報取得工程は、前記比較された結果、移動体の位置と最も離れている位置情報が取得済みの記憶データに関連付けられている場合には、前記記録データを、取得済みの記録データから削除し、新たな記録データを取得することを特徴とする。
［０００９］
また、請求項６に記載の情報再生プログラムは、コンピュータを、請求項１に記載の記録データ再生装置として機能させることを特徴とする。
［００１０］
また、請求項７に記載の記録媒体は、請求項６に記載の記録データ再生プログラムがコンピュータ読み取り可能に記録されていることを特徴とする。
図面の簡単な説明
［００１１］
［図１］本実施形態に係る音楽再生装置のハードウェア構成の一例を示す構成図である。
［図２］再生履歴管理テーブルの一例を示す図である。
［図３］再生履歴管理テーブルの作成例を示すフローチャート図である。
［図４］音楽再生装置における音楽データの再生処理の動作例を示すフローチャート図である。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
移動体の位置に基づいて過去に前記位置の近傍で再生した記録データを再生する記録再生装置であって、
前記移動体の位置を検出する位置検出手段と、
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、
前記ユーザの操作により前記記録データを再生する再生要求を受け付ける再生要求受付手段と、
前記ユーザによる再生要求の後に検出される前記移動体の位置に基づいて前記第１の記憶手段から再生すべき記録データを取得するとともに、前記移動体の位置を検出した日付に基づいて前記第２の記憶手段から情報データを取得する情報取得手段と、
前記取得した記録データ及び情報データの中から少なくとも日付のみが一致する記録データ及び情報データを抽出する情報抽出手段と、
前記取得された記録データを再生する再生手段と、
前記情報取得手段によって取得される記録データの数を設定する記録データ数設定手段と、
前記情報取得手段によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較手段と、を更に具備し、
前記情報取得手段は、
前記比較された結果、移動体の位置と最も離れている位置情報が取得済みの記憶データに関連付けられている場合には、前記記録データを、取得済みの記録データから削除し、新たな記録データを取得し、
前記情報データ抽出手段によって抽出された記録データ及び情報データを互いに関連づけて表示する表示手段を更に具備し、
前記再生手段は、
前記表示された中からユーザの操作によって選択される複数の記録データを前記関連情報の多い順に再生することを特徴とする記録データ再生装置。
【請求項２】
前記移動体の位置から所定の距離の範囲を示す閾値を設定する閾値設定手段を更に具備し、
前記情報データ取得手段は、
前記閾値内の前記記録データを取得することを特徴とする請求項１に記載の記録データ再生装置。
【請求項３】
再生される記録データに、前記移動体の位置を示す位置情報と前記記録データが再生される日付を示す日付情報とを関連付けて記憶する第１の記憶手段と、
ユーザの日々の出来事を示す情報データにその情報データが作成された日付を示す日付情報を関連づけて記憶する第２の記憶手段と、を具備し、
前記移動体の位置に基づいて過去に前記位置の近傍で再生した記録データを再生する記録データ再生方法であって、
前記ユーザの操作により前記記録データを再生する再生要求を受け付ける再生要求受付工程と、
移動体の位置を検出する位置検出工程と、
前記ユーザによる再生要求の後に検出される前記移動体の位置に基づいて前記第１の記憶手段から再生すべき記録データを取得するとともに、前記移動体の位置を検出した日付に基づいて前記第２の記憶手段から情報データを取得する情報取得工程と、
前記取得した記録データ及び情報データの中から少なくとも日付のみが一致する記録データ及び情報データを抽出する情報抽出工程と、
前記取得された記録データを再生する再生工程と、
前記情報取得手段によって取得される記録データの数を設定する記録データ数設定工程と、
前記情報取得工程によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較工程と、を具備し、
前記情報取得工程は、
前記比較された結果、移動体の位置と最も離れている位置情報が取得済みの記憶データに関連付けられている場合には、前記記録データを、取得済みの記録データから削除し、新たな記録データを取得し、
前記情報抽出工程によって抽出された記録データ及び情報データを互いに関連づけて表示する表示工程を更に具備し、
前記再生工程は、
前記表示された中からユーザの操作によって選択される複数の記録データを前記関連情報の多い順に再生することを特徴とする記録データ再生方法。
【請求項４】
コンピュータを、請求項１に記載の記録データ再生装置として機能させることを特徴とする記録データ再生プログラム。
【請求項５】
請求項４に記載の記録データ再生プログラムがコンピュータに読み取り可能に記録されていることを特徴とする記録媒体。
【手続補正２】
【補正対象書類名】明細書
【補正対象項目名】０００７
【補正方法】変更
【補正の内容】
【０００７】
上記課題を解決するために、請求項１に記載の記録データ再生装置（Ｓ）は、移動体の位置に基づいて過去に前記位置の近傍で再生した記録データを再生する記録再生装置であって、前記移動体の位置を検出する位置検出手段（２）と、再生される記録データに、前記移動体の位置を示す位置情報と前記記録データが再生される日付を示す日付情報とを関連付けて記憶する第１の記憶手段（６）と、ユーザの日々の出来事を示す情報データにその情報データが作成された日付を示す日付情報を関連づけて記憶する第２の記憶手段（２５ａ）と、前記ユーザの操作により前記記録データを再生する再生要求を受け付ける再生要求受付手段（４）と、前記ユーザによる再生要求の後に検出される前記移動体の位置に基づいて前記第１の記憶手段から再生すべき音楽データを取得するとともに、前記移動体の位置を検出した日付に基づいて前記第２の記憶手段から情報データを取得する情報データ取得手段（１５）と、前記取得した記録データ及び情報データの中から少なくとも日付のみが一致する記録データ及び情報データを抽出する情報抽出手段（１５）と、前記取得された記録データを再生する再生手段（８）と、前記情報取得手段によって取得される記録データの数を設定する記録データ数設定手段と、前記情報取得手段によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較手段と、を更に具備し、前記情報取得手段は、前記比較された結果、移動体の位置と最も離れている位置情報が取得済みの記憶データに関連付けられている場合には、前記記録データを、取得済みの記録データから削除し、新たな記録データを取得し、前記情報データ抽出手段によって抽出された記録データ及び情報データを互いに関連づけて表示する表示手段を更に具備し、前記再生手段は、前記表示された中からユーザの操作によって選択される複数の記録データを前記関連情報の多い順に再生することを特徴とする。
【手続補正３】
【補正対象書類名】明細書
【補正対象項目名】０００８
【補正方法】変更
【補正の内容】
【０００８】
また、請求項３に記載の記録データ再生方法は、再生される記録データに、前記移動体の位置を示す位置情報と前記記録データが再生される日付を示す日付情報とを関連付けて記憶する第１の記憶手段と、ユーザの日々の出来事を示す情報データにその情報データが作成された日付を示す日付情報を関連づけて記憶する第２の記憶手段と、を具備し、前記移動体の位置に基づいて過去に前記位置の近傍で再生した記録データを再生する記録データ再生方法であって、前記ユーザの操作により前記記録データを再生する再生要求を受け付ける再生要求受付工程と、移動体の位置を検出する位置検出工程と、前記ユーザによる再生要求の後に検出される前記移動体の位置に基づいて前記第１の記憶手段から再生すべき記録データを取得するとともに、前記移動体の位置を検出した日付に基づいて前記第２の記憶手段から情報データを取得する情報取得工程と、前記取得した記録データ及び情報データの中から少なくとも日付のみが一致する記録データ及び情報データを抽出する情報抽出工程と、前記取得された記録データを再生する再生工程と、前記情報取得手段によって取得される記録データの数を設定する記録データ数設定工程と、前記情報取得工程によって取得された記録データが前記設定された数を超えた場合に、その後に新たに取得される記録データに関連づけられている位置情報と、取得済みの記録データに関連づけられているそれぞれの位置情報と、に対し、これらと前記移動体の位置からの距離とを比較する比較工程と、を具備し、前記情報取得工程は、前記比較された結果、移動体の位置と最も離れている位置情報が取得済みの記憶データに関連付けられている場合には、前記記録データを、取得済みの記録データから削除し、新たな記録データを取得し、前記情報抽出工程によって抽出された記録データ及び情報データを互いに関連づけて表示する表示工程を更に具備し、前記再生工程は、前記表示された中からユーザの操作によって選択される複数の記録データを前記関連情報の多い順に再生することを特徴とする。
【手続補正４】
【補正対象書類名】明細書
【補正対象項目名】０００９
【補正方法】変更
【補正の内容】
【０００９】
また、請求項４に記載の記録データ再生プログラムは、コンピュータを、請求項１に記載の記録データ再生装置として機能させることを特徴とする。
【手続補正５】
【補正対象書類名】明細書
【補正対象項目名】００１０
【補正方法】変更
【補正の内容】
【００１０】
また、請求項５に記載の記録媒体は、請求項４に記載の記録データ再生プログラムがコンピュータに読み取り可能に記録されていることを特徴とする。
【提出文献の目録】
【包括委任状番号】０７１０００５
【国際調査報告】
2008111189.tif 000011
2008111189.tif 000012
2008111189.tif 000013
2008111189.tif 000014